(57)【要約】番組についてユーザグループの共通の興味の度合いを得るための方法であって、ユーザグループの各々のユーザはユーザプロファイルに対応する、方法であり、少なくとも１つのコンテンツ特徴を有する番組を受信する段階と、各々のユーザの前記ユーザプロファイルから前記コンテンツ特徴についての前記ユーザの好みの度合い、妥協指数及びユーザ重み付けを得る段階と、各々のユーザの妥協指数及びユーザ重み付けと組み合わせて、前記コンテンツ特徴についての前記ユーザの好みの度合いを調節する段階と、前記調節された好みの度合いにしたがって、前記番組について前記ユーザグループの前記共通の好みの度合いを得る段階と、を有する方法について開示している。本発明においては、より正確に且つ総合的にユーザグループの共通の興味の度合いを得るように、特定の番組を視聴している多様なユーザの妥協指数が、対応するユーザ重み付けを調節するように採用されている。
2008529117.tif 000002
【特許請求の範囲】
【請求項１】
番組についてユーザグループの共通の興味の度合いを得るための方法であって、前記ユーザグループの各々のユーザはユーザプロファイルに対応する、方法であり：
（ａ）少なくとも１つのコンテンツ特徴を有する番組を受信する段階；
（ｂ）各々のユーザの前記ユーザプロファイルから前記コンテンツ特徴についての前記ユーザの好みの度合い、妥協指数及びユーザ重み付けを得る段階；
（ｃ）各々のユーザの妥協指数及びユーザ重み付けと組み合わせて、前記コンテンツ特徴についての前記ユーザの好みの度合いを調節する段階；並びに
（ｄ）前記調節された好みの度合いにしたがって、前記番組について前記ユーザグループの前記共通の好みの度合いを得る段階；
を有する方法。
【請求項２】
請求項１に記載の方法であって、前記妥協指数は、前記ユーザグループの全体の興味についてのコンテンツ特徴に対して取られる前記ユーザグループにおける各々のユーザの挙動を表すように用いられ、前記挙動は、妥協、非妥協及び無関心を有する、方法。
【請求項３】
請求項１に記載の方法であって、前記ユーザ重み付けは、前記ユーザグループにおける各々のユーザの重要度を表すように用いられる、方法。
【請求項４】
請求項１に記載の方法であって、前記段階（ｃ）は：
（ｃ１）前記調節されたユーザ重み付けを得るように、前記妥協指数にしたがって前記ユーザ重み付けを調節する段階；及び
（ｃ２）前記調節の後に、前記コンテンツ特徴について各々のユーザの前記好みの度合いを得るように、前記調節されたユーザ重み付けにしたがって前記好みの度合いを調節する段階；
を有する方法。
【請求項５】
ユーザグループに番組を推薦するための方法であって、前記ユーザグループの各々のユーザはユーザプロファイルに対応する、方法であり：
（ａ）少なくとも１つのコンテンツ特徴を有する番組を受信する段階；
（ｂ）各々のユーザの前記ユーザプロファイルから前記コンテンツ特徴についての前記ユーザの好みの度合い、妥協指数及びユーザ重み付けを得る段階；
（ｃ）各々のユーザの妥協指数及びユーザ重み付けと組み合わせて、前記コンテンツ特徴についての前記ユーザの好みの度合いを調節する段階； 
（ｄ）前記調節された好みの度合いにしたがって、前記番組について前記ユーザグループの前記共通の好みの度合いを得る段階；並びに
（ｅ）前記番組について前記ユーザグループの前記共通の興味の度合いにしたがって前記ユーザグループに前記番組を推薦するかどうかを判定する段階；
を有する方法。
【請求項６】
請求項５に記載の方法であって、前記妥協指数は、前記ユーザグループの全体の興味についてのコンテンツ特徴に対して取られる前記ユーザグループにおける各々のユーザの挙動を表すように用いられ、前記挙動は、妥協、非妥協及び無関心を有する、方法。
【請求項７】
請求項５に記載の方法であって、前記段階（ｃ）は：
（ｃ１）前記調節されたユーザ重み付けを得るように、前記妥協指数にしたがって前記ユーザ重み付けを調節する段階；及び
（ｃ２）前記調節の後に、前記コンテンツ特徴について各々のユーザの前記好みの度合いを得るように、前記調節されたユーザ重み付けにしたがって前記好みの度合いを調節する段階；
を有する方法。
【請求項８】
番組についてユーザグループの共通の興味の度合いを得るための装置であって、前記ユーザグループの各々のユーザはユーザプロファイルに対応する、装置であり：
少なくとも１つのコンテンツ特徴を有する番組を受信するための受信手段；
各々のユーザの前記ユーザプロファイルから前記コンテンツ特徴についての各々のユーザの好みの度合い、妥協指数及びユーザ重み付けを得るための取得手段；
各々のユーザの妥協指数及びユーザ重み付けと組み合わせて、前記コンテンツ特徴についての前記ユーザの好みの度合いを調節するための調節手段；並びに
前記調節された好みの度合いにしたがって、前記番組について前記ユーザグループの前記共通の好みの度合いを得るための共通の興味の度合いを解析する手段；
を有する装置。
【請求項９】
請求項８に記載の装置であって、前記調節手段は：
前記調節されたユーザ重み付けを得るように前記妥協指数にしたがって前記ユーザ重み付けを調節するための第１調節手段；
前記調節の後に前記コンテンツ特徴について各々のユーザの前記好みの度合いを得るように、前記調節されたユーザ重み付けにしたがって前記好みの度合いを調節するための第２調節手段；
を更に有する、装置。
【請求項１０】
ユーザグループに情報を推薦するための装置であって、前記ユーザグループにおける各々のユーザはユーザプロファイルに対応する、装置であり：
少なくとも１つのコンテンツ特徴を有する番組を受信するための受信手段；
各々のユーザの前記ユーザプロファイルから前記コンテンツ特徴についての各々のユーザの好みの度合い、妥協指数及びユーザ重み付けを得るための取得手段；
各々のユーザの妥協指数及びユーザ重み付けと組み合わせて、前記コンテンツ特徴についての前記ユーザの好みの度合いを調節するための調節手段； 
前記調節された好みの度合いにしたがって、前記番組について前記ユーザグループの前記共通の好みの度合いを得るための共通の興味の度合いを解析する手段；並びに
前記番組について前記ユーザグループの前記共通の興味の度合いを推薦するべきかどうかを判定するための推薦手段；
を有する装置。
【請求項１１】
請求項１０に記載の装置であって、前記調節手段は：
前記調節されたユーザ重み付けを得るように前記妥協指数にしたがって前記ユーザ重み付けを調節するための第１調節手段；
前記調節の後に前記コンテンツ特徴について各々のユーザの前記調節された好みの度合いを得るように、前記調節されたユーザ重み付けにしたがって前記好みの度合いを調節するための第２調節手段；
を更に有する、装置。
【発明の詳細な説明】
【技術分野】
【０００１】
本発明は、ユーザの興味の度合いを取得するための方法及び手段に関し、特に、ユーザグループの共通に興味の度合いを取得するための方法及び手段、並びに共通の興味の度合いを取得するユーザグループに対して情報を推薦するための方法及び手段に関する。
【背景技術】
【０００２】
現在の通信技術の進展に伴って、人々は、どんなときでも大量の情報を得ることができるようになった。しかしながら、情報量の急速な増加は、そのときどきに、人々に目的を失わせるようにしている。人々は、ユーザが興味をもつ情報をユーザに推薦するように、ユーザの興味の度合いを取得するための装置を切望している。
【０００３】
今日、ユーザの興味の度合いを取得する方法及び装置は、通常、番組についての１人の単独のユーザの興味の度合いを取得するために用いられている一方、番組についてのユーザグループ（少なくとも２人のユーザを含む）の共通の興味の度合いを取得するのに利用可能な方法及び装置は多くない。
【０００４】
しかし、家族又はドーミトリにおいては、非常にしばしば、共に番組を視聴するユーザグループが存在する。例えば、父親、母親及び１人の子供の家族が存在する。彼等の各々の１人はそれぞれ自信の興味の度合いを有する。一緒にテレビを視聴しているとき、誰がリモコンを持つべきか、及び何を視聴するかを彼等が同意することは避けられない。それ故、彼等の全てが興味をもてる番組を推薦するように、ユーザグループの共通の興味の度合いを取得するために方法及び装置が必要である。
【０００５】
番組についてのユーザグループの共通の興味の度合いを取得する現在の方法は、そのユーザグループ内の各々のユーザのユーザ重み付けにしたがった関連する好みの度合いを調節することにより得られる。
【０００６】
ユーザ重み付けは、ユーザグループの各々のユーザの重要度を意味し、そのユーザグループにおいて、一部のユーザは他のユーザより支配的であり、それ故、彼等の重み付けは大きい一方、一部のユーザは支配的ではなく、彼等の重み付けは小さい。
【０００７】
例えば、国際特許出願第ＰＣＴ／ＩＢ０２／０１０３４号明細書（出願人はＫＯＮＩＮＫＩＪＫＥ  ＰＨＩＬＩＰＳ  ＥＬＥＣＴＲＯＮＩＣＳ  Ｎ．Ｖ．であり、国際出願日は２００２年３月２８日であり、優先日は２００１年３月２８日である）において、前記ユーザ重み付けにしたがった好みの度合いを調節することにより番組についてのユーザグループの共通の興味の度合いを取得する方法について開示されている。
【０００８】
しかしながら、上記の特許文献においては、複数の番組の違いに対する対応するユーザ重み付けへのユーザグループ内の各々のユーザのチーム精神の影響にも拘らず、各々のユーザ重み付けは同じであり、その各々のユーザ重み付けにしたがって、各々のユーザは全ての番組について、好みの度合いを調節している。用語“精神”は、特定の番組についてのチーム精神の影響下でユーザグループの全てのユーザが達することに同意する妥協案のことをいい、それ故、彼／彼女がグループ内の他のユーザと共にその番組を視聴するか否かを判定する。
【０００９】
要約すれば、ユーザグループの各々のユーザの固定されたユーザの重み付けにしたがってその番組について好みの度合いを調節することにより、番組についてのユーザグループの共通の興味の度合いを得るための現在の方法は、正確に且つ総合的に番組についてのグループの共通の興味の度合いを得ることはできない。
【００１０】
それ故、本発明は、より総合的に且つ正確にユーザグループの全員が興味をもつ情報を推薦するように、ユーザグループの共通の興味の度合いを得るための方法及び装置を提供する。
【特許文献１】国際特許出願第ＰＣＴ／ＩＢ０２／０１０３４号明細書
【発明の開示】
【発明が解決しようとする課題】
【００１１】
本発明の目的は、より適宜にユーザグループの全員にとって興味のもてる番組を推薦するように、より正確に番組についてユーザグループの共通の興味の度合いを取得することである。
【課題を解決するための手段】
【００１２】
本発明の第１特徴は、番組についてのユーザグループの共通の興味の度合いを取得するための方法であって、ユーザグループの各々のユーザはユーザプロファイルに対応し、そのユーザプロファイルは次の段階、即ち、少なくとも１つのコンテンツ特徴を有する番組を受信する段階と、ユーザの前記ユーザプロファイルから前記コンテンツ特徴について前記各々のユーザの好みの度合い、ユーザ重み付け、妥協指数及びユーザ重み付けを取得する段階と、ユーザ重み付け及び妥協指数の組み合わせで前記コンテンツ特徴についての各々のユーザの好みの度合いを調節する段階と、調節された好みの度合いにしたがって番組についてのユーザグループの共通の興味の度合いを取得する段階とを有する。
【００１３】
本発明の実施形態においては、前記妥協指数は、コンテンツ特徴に対して取られる前記ユーザグループにおける各々のユーザの挙動を示すように用いられ、その妥協指数は、そのユーザグループの全体の興味について、妥協、非妥協及び無関心を有する。
【００１４】
本発明の他の実施形態においては、妥協指数及びユーザ重み付けと組み合わせる前記調節処理は、更に次の段階、即ち、調節されたユーザ重み付けを取得するように前記妥協指数にしたがって、ユーザ重み付けを調節する段階と、前記調節の後の前記コンテンツ特徴について各々のユーザの好みの度合いを取得するように、前記調節されたユーザ重み付けにしたがって前記好みの度合いを調節する段階とを有する。
【００１５】
本発明においては、ユーザグループにおける複数のユーザの妥協指数は関連するユーザ重み付けを調節するように用いられる。ユーザグループにおける複数のユーザのチーム精神（ユーザグループにおける複数のユーザの妥協指数）が考慮されるばかりでなく、最初のユーザグループ全員が番組を視聴するのではないとき、その番組を視聴しているユーザのユーザ重み付けは、より正確に且つ包括的にユーザグループの共通の興味の度合いを取得するように、再配分される。
【００１６】
本発明の他の特徴は、ユーザグループに対して番組を推薦するための方法であって、そのユーザグループの各々のユーザはユーザプロファイルに対応し、その方法は、次の段階、即ち、少なくとも１つのコンテンツ特徴を有する番組を受信する段階と、各々のユーザの前記ユーザプロファイルから前記コンテンツ特徴についての好みの度合い、妥協指数及びユーザ重み付けを取得する段階と、調節された好みの度合いにしたがって番組についてのユーザグループの共通の興味の度合いを取得する段階と、番組についてのユーザグループの共通の興味の度合いにしたがって、ユーザグループに対して番組を推薦するべきかどうかを判定する段階と、を有する。
【００１７】
本発明の実施形態においては、妥協指数は、コンテンツ特徴に対して取られる前記ユーザグループにおける各々のユーザの挙動を表すように用いられ、その妥協指数は、全体のユーザグループの興味について、妥協、非妥協及び無関心を有する。
【００１８】
本発明の他の実施形態においては、妥協指数及びユーザ重み付けと組み合わせて前記調節する処理は、次の段階であって、調節されたユーザ重み付けを取得するように前記妥協指数にしたがって、前記ユーザ重み付けを調節する段階と、前記調節の後に前記コンテンツ特徴について各々のユーザの好みの度合いを取得するように、前記調節されたユーザ重み付けにしたがって前記好みの度合いを調節する段階と、を更に有する。
【００１９】
本発明の他の特徴は、番組についてユーザグループの共通の興味の度合いを取得するための装置であって、ユーザグループにおける各々のユーザはユーザプロファイルに対応する、装置を提供することである。その装置は、少なくとも１つのコンテンツ特徴を有する番組を受信するための手段と、ユーザのユーザプロファイルから前記コンテンツ特徴について前記各々のユーザの好みの度合い、ユーザ重み付け、妥協指数及びユーザ重み付けを取得するための手段と、各々のユーザのユーザ重み付け及び妥協指数の組み合わせで前記コンテンツ特徴についてユーザの好みの度合いを調節するための手段と、調節された好みの度合いにしたがって番組についてのユーザグループの共通の興味の度合いを取得するための共通の興味の度合いを解析する手段と、を有する。
【００２０】
本発明の実施形態においては、その調節する手段は、調節されたユーザ重み付けを取得するように前記妥協指数にしたがって前記ユーザ重み付けを調節するための第１調節手段と、前記調節の後に前記コンテンツ特徴について各々のユーザの好みの度合いを取得するように、調節された重み付けにしたがって前記好みの度合いを調節するための第２調節手段と、を更に有する。
【００２１】
本発明の他の特徴は、ユーザグループに対して番組を推薦するための装置であって、そのユーザグループにおいて、各々のユーザはユーザプロファイルに対応している、装置を提供することである。その装置は、少なくとも１つのコンテンツ特徴を有する番組を受信するための手段と、ユーザのユーザプロファイルから前記コンテンツ特徴についての前記各々のユーザの好みの度合い、妥協指数及びユーザ重み付けを取得するための取得手段と、各々のユーザのユーザ重み付け及び妥協指数と組み合わせて、前記コンテンツ特徴についてユーザの好みの度合いを調節するための調節手段と、調節された好みの度合いにしたがって番組についてのユーザグループの共通の興味の度合いを取得するための共通の興味の度合いを解析する手段と、番組についてのユーザグループの共通の興味の度合いを推薦するかどうかを判定するための推薦手段と、を有する。
【００２２】
本発明の実施形態においては、その調節する手段は、調節されたユーザ重み付けを取得するように前記妥協指数にしたがって前記ユーザ重み付けを調節するための第１調節手段と、前記調節の後に前記コンテンツ特徴について各々のユーザの調節された好みの度合いを取得するように、調節された重み付けにしたがって前記好みの度合いを調節するための第２調節手段と、を更に有する。
【００２３】
添付された図と共に明細書及び請求項を参照することにより、本発明の他の目的及び成就について学習できることは明らかであり、そのことは、本発明について更に包括的に理解する助けとなる。
【００２４】
本発明については、添付図と共に下記の実施形態において詳述している
全ての図を通して、同じ参照番号が同一の又は類似する特徴及び機能に付けられている。
【発明を実施するための最良の形態】
【００２５】
図１は、本発明の実施形態にしたがった情報推薦システムの構造図である。
【００２６】
システム１００は、ユーザプロファイル管理手段１０７と、取得手段１０８と、調節手段１０９と、共通の興味の度合いを解析する手段１１０と、を有する。
【００２７】
ユーザプロファイル管理手段１０７は、少なくとも２人のユーザを有する最初のユーザグループにおける各々のユーザのユーザプロファイル、例えば、ユーザ１プロファイル、ユーザ２プロファイル及びユーザＮプロファイルを管理するように用いられる。各々のユーザプロファイルは、１つ又はそれ以上のコンテンツ特徴へのユーザの興味の反応、例えば、好みの度合い、妥協指数及びユーザ重み付けを有する。勿論、最初のユーザグループにおけるユーザ全ての興味の反応を１つの一般ユーザプロファイルに向けること、又は、最初のユーザグループを、各々が分割されたユーザプロファイルに対応する複数のサブグループに分割することが可能である。勿論、特定の番組について各々のユーザの好みの度合い、妥協指数及びユーザ重み付けを直接、設定することがまた、可能である。
【００２８】
本実施形態においては、１人のユーザは１つのユーザプロファイルに対応し、各々のユーザプロファイルは、複数のコンテンツ特徴についてのユーザの好みの度合い、妥協指数及びユーザ重み付けを有する。
【００２９】
上記の最初のユーザグループとは、ユーザプロファイルが初期化されるとき、そのグループにおけるユーザの全人数をいい、そのユーザグループは少なくとも２人のユーザを有する。しかしながら、典型的なユーザグループとは、番組を視聴するユーザグループをいう（又は、そのうちの１人は番組を聴いていて、又はそのうちの１人はプロダクト／コンテンツを用いている）。例えば、最初のユーザグループは５人のユーザを有するが、番組を視聴するユーザグループは常に５人のユーザを有するとは限らない。ときどき、３人、４人又は２人のユーザがいるかも知れない。しかし、ユーザグループは少なくとも２人のユーザを有する。
【００３０】
コンテンツ特徴とは、番組に含まれる俳優（例えば、Ｆａｎ  Ｂｉｎｇｂｉｎｇ、Ｇｅ  Ｙｏｕ等）、番組ジャンル（アニメ、ニュース、恋愛ドラマ、軍事映画）及び監督（Ｚｈａｎｇ  Ｙｉｍｏｕ、Ｆｅｎｇ  Ｘｉａｏｇａｎｇ等）をいう。それらのコンテンツ特徴は、ラジオ、テレビ、インターネット又は他の情報源であることが可能である。最も代表的な方法は、コンテンツ特徴がディジタルテレビの電子番組案内（ＥＰＧ）を介してユーザに送信されることである。
【００３１】
ユーザプロファイルにおけるコンテンツ特徴は単独の特徴、例えば、特定の俳優であることが可能である。勿論、ユーザプロファイルはまた、複数のコンテンツ特徴を有し、それらのコンテンツ特徴は対応する推薦結果をより正確なものにすることが可能である。
【００３２】
好みの度合いは、種々のコンテンツ特徴に対するユーザの感覚であって、スケールで、例えば、ユーザにより予め設定された［０，１００］のスケールで表されることが可能である。
【００３３】
妥協指数は、最初のユーザグループの全体の興味のために、全てのコンテンツ特徴に対する最初のグループにおける各々のユーザの挙動が最初のグループにおける各々のユーザのチーム精神を反映するように取られることを表すように用いられる。特定のコンテンツ特徴については、ユーザの一部は、一緒にそのコンテンツ特徴を有する番組を視聴するように他のユーザを妥協させようと思う一方、他のコンテンツ特徴については、それらのユーザは、グループにおける他のユーザと共に他のコンテンツ特徴を有する番組を視聴させようとは思わない。
【００３４】
妥協指数は、ユーザが視聴した番組の履歴情報修正にしたがって、いつでも任意に、各々のユーザにより予め設定され、修正されることが可能である。例えば、妥協指数は［０，１，２］のうちの１つの値であり、それらの中の０は妥協を表し、１は無関心を表し、２は非妥協を表す。勿論、妥協指数はまた、［０，２］等のようなスケールとして設定されることが可能である。異なるコンテンツ特徴については、各々のユーザは、スケールにおいて異なる値を設定することが可能である。
【００３５】
ユーザ重み付けとは、最初のユーザグループにおける各々のユーザの重要度をいう。一部のユーザは支配的であり、彼等のユーザ重み付けは高い一方、他のユーザは支配的ではなく、彼等の重み付けは低い。各々のユーザのユーザ重み付けは、ユーザグループにおける各々のユーザの共同の討議により予め設定され、共同の討議により後に再び、修正されることが可能である。
【００３６】
勿論、ユーザ重み付けは、必ずしも修正される必要はない。それは、妥協指数の調節にしたがって、本実施形態におけるユーザ重み付けは変わるためである。異なるコンテンツ特徴についての各々のユーザの妥協指数は多様であることが可能であり、いつでもユーザにより修正されることが可能であり、また、関連ユーザ重み付けの変化に対して応じることが可能である。
【００３７】
最初のユーザグループにおいては、全てのユーザ重み付けの総和は１であり、妥協指数により調節された後のユーザグループにおいてテレビを視聴している複数のユーザのユーザ重み付けの総和は、尚も１である。
【００３８】
ユーザプロファイルはユーザ自身により設定され、初期化されることが可能であるが、それは、勿論、唯一の方法ではない。ユーザプロファイルを取得するために利用可能である他の方法がある。例えば、監督は、ユーザの基本情報（例えば、ジャンル、年齢等）にしたがって推薦システムのユーザプロファイルが初期化されることが可能である。
【００３９】
取得手段１０８は、ユーザプロファイル管理手段１０７からの種々のコンテンツ特徴についてユーザグループにおける各々のユーザの好みの度合い、妥協指数及びユーザ重み付け等のような情報を取得するように用いられる。
【００４０】
調節手段１０９は、上記の取得されたユーザ重み付け及び妥協指数にしたがって、対応する取得された好みの度合いを調節するように用いられる。
【００４１】
調節手段１０９は、第１調節手段１０９２及び第２調節手段１０９４を有する。第１調節手段１０９２は、妥協指数にしたがってユーザ重み付けを調節するようになっている一方、第２調節手段１０９４は、妥協指数により調節されたユーザ重み付けにしたがって関連する好みの度合いを調節するようになっている。
【００４２】
共通の興味の度合いを解析する手段１１０は、上記の調節された好みの度合いにしたがって番組についてのユーザグループの共通の興味の度合いを取得するように、そして、その共通の興味の度合いが閾値より大きいかどうかを判定するように用いられる。その閾値は、例えば、６０に、ユーザグループにより予め設定されることが可能である。
【００４３】
共通の興味の度合いを解析する手段１１０は、好みの度合いを取得する手段１１２と、共通の興味の度合いを取得する手段１１４と、判定手段１１６と、を有する。
【００４４】
共通の好みの度合いを取得する手段１１２は、全てのコンテンツ特徴についてユーザグループの共通の好みの度合いを取得するように用いられる。全てのコンテンツ特徴についてユーザグループの調節された好みの度合いの総和は、コンテンツ特徴についてユーザグループの共通の好みの度合いとして用いられることが可能である。
【００４５】
共通の興味の度合いを取得する手段１１４は、番組のコンテンツ特徴全てについてのユーザグループの共通の好みの度合いにしたがって番組についてのユーザグループの共通の興味の度合いを取得するように用いられる。通常、番組におけるコンテンツ特徴全てについてのユーザグループの共通の好みの度合いの平均値は、番組についてのユーザグループの共通の興味の度合いとして用いられる。
【００４６】
勿論、番組において１つのコンテンツ特徴のみが存在する場合、番組におけるコンテンツ特徴全てについてユーザグループの共通の好みの度合いの平均値を取得する必要はないが、番組についてユーザグループの共通の興味の度合いとしてそのコンテンツ特徴についてのユーザグループの共通の好みの度合いを直接、用いることは必要である。
【００４７】
本実施形態のユーザプロファイルはコンテンツ重み付けのみを有し、そのコンテンツ重み付けとは、ユーザが番組を選択しているときの、行われている選択における俳優、監督及びジャンルのような複数のコンテンツ特徴の影響をいう。換言すれば、それはまた、ユーザの好みの番組を選択しているときに、俳優、ジャンル又は監督に基づくことが可能であるユーザが採用する基準をいう。全ての基準の中で、俳優全てについてのコンテンツ重み付けは同じであることが可能であり、ジャンル全てについての重み付けであり、又は監督全てについてのコンテンツ重み付けである。コンテンツ重み付けはまた、供給者により、例えば、［０，５０］のスケールの範囲内に予め設定されることが可能である。
【００４８】
本実施形態においては、ユーザグループの共通の興味の度合いはまた、前記コンテンツ重み付け及び好みの度合いの組み合わせにより得られることが可能である。
【００４９】
判定手段１１６は、前記番組について取得されたユーザグループの共通の興味の度合いが前記閾値より大きいかどうかを判定するように用いられる。その興味の度合いが閾値より大きい場合、その番組はユーザグループに対して推薦されるべきであり、その興味の度合いが閾値より小さいか又はその閾値に等しい場合、その番組はユーザグループに対して推薦されない。
【００５０】
そのシステム１００は、番組情報受信手段１０１と、推薦手段１０２と、インタラクティブ手段１０３と、フィードバック情報処理手段１０４と、修正手段１０６と、を有する。
【００５１】
番組情報受信手段１０１は、番組情報と、番組等に対応するディジタルテレビ電子番組案内（ＥＰＧ）を受信するように用いられる。
【００５２】
推薦手段１０２は、受信される番組情報及び共通の興味の度合いを解析する手段１１０の解析結果にしたがって、ユーザグループに対して推薦リストを供給するように用いられる。そのリストは、ユーザグループにとって興味がある可能性がある番組を含む。
【００５３】
インタラクティブ手段１０３は、ユーザに対して番組又は推薦リストを示し、また、例えば、プログラムがどれ位長く視聴されたか、そして推薦された番組又は視聴された番組に関してユーザからの番組又はコンテンツ特徴についての好みの度合い、妥協指数及びユーザ重み付け等の修正等の、推薦された番組を視聴するように又はそれを視聴しないように選択するフィードバック情報を受信するように用いられる。
【００５４】
勿論、インタラクティブ手段１０３はまた、番組を視聴しているグループにおけるユーザについての情報を受信するように用いられることが可能である。例えば、ユーザは、リモコン又はカメラ（図において示されていない）によりインタラクティブ手段１０３に、テレビを視聴しているユーザについてのユーザ情報を入力する。システム１００は、その場合、ユーザグループに対して彼等の全てにとって興味がある番組を推薦するように、最初のグループにおけるどのユーザがテレビを視聴しているかを認識する、即ち、現時点でテレビを視聴しているユーザグループを判定する。
【００５５】
フィードバック情報処理手段１０４は、各々のユーザの興味の変化を求めるように、インタラクティブ手段１０３により受信されたユーザからのフィードバック情報を処理するように用いられる。
【００５６】
修正手段１０６は、ユーザの興味の変化にしたがって各々のユーザのプロファイルにおける情報を修正するように用いられる。
【００５７】
前記システム１００におけるユーザプロファイル管理手段１０７は記憶装置（例えば、ハードディスク）であることが可能である一方、残りの手段は、中央演算処理装置（ＣＰＵ）の支援の下で動作することが可能である。
【００５８】
図２は、本発明の実施形態にしたがった情報推薦方法のワークフロー図である。以下、プログラムは、映像番組又は音響番組、プロダクト、コンテンツ等であることが可能である。以下の説明は、映像番組に関するものである。
【００５９】
第１に、最初のユーザグループにおける各々のユーザのユーザプロファイルを設定する（段階Ｓ２１０）。各々のユーザプロファイルは、少なくとも１つのコンテンツ特徴についてのユーザの好みの度合い、妥協指数及びユーザ重み付けを含む。勿論、最初のユーザグループにおける各々のユーザプロファイルが存在する場合、前記段階は省略することが可能である。勿論、各々のユーザの番組についての好みの度合い、妥協指数及びユーザ重み付けは予め、直接設定されることが可能である。
【００６０】
この実施形態においては、１人のユーザは１つのユーザプロファイルに対応し、各々のユーザプロファイルは、少なくとも１つのコンテンツ特徴についてのユーザの好みの度合い、妥協指数及びユーザ重み付けを含む。
【００６１】
前記最初のユーザグループとは、ユーザプロファイルが初期化されるときに、少なくとも２人のユーザを有するグループにおけるユーザの総人数をいう。一般に、ユーザグループとは、番組を視聴しているグループをいう。例えば、最初のユーザグループは５人のユーザを有し、番組を使用しているユーザグループは必ずしも５人ではない。ときどき、３人であるかも知れないし、ときどき、４人又は２人等であるかも知れない。しかし、ユーザグループは少なくとも２人のユーザを有する。
【００６２】
ユーザプロファイルにおいて１つのコンテンツのみ、例えば、特定の俳優を有することが可能である。勿論、そのプロファイルにおいては、複数のコンテンツ特徴を有することが可能である。現時点で、推薦の結果はより正確である。
【００６３】
各々のユーザの前記ユーザプロファイルにおいては、一連のコンテンツ特徴が存在する場合、その一連のコンテンツ特徴は、４変数列（コンテンツ特徴、好みの度合い、妥協指数、個人重み付け）を更に有する。したがって、ユーザプロファイル（短縮してＵＰで表される）は、４変数列（ｔ、ｌｄ、ｃｉ、ｉｗ）のベクトルで表される。全体でｍ個の異なるコンテンツ特徴が存在する場合、それらのコンテンツ特徴についてのｎ人のユーザの中のユーザｊの興味は、次式のように表される。
ＵＰｊ＝（（ｔ１，ｌｄ１，ｃｉ１，ｉｗｊ），（ｔ２，ｌｄ２，ｃｉ２，ｉｗｊ），．．．，（ｔｉ，ｌｄｉ，ｃｉｉ，ｉｗｊｊ）），．．．，（ｔｍ，ｌｄｍ，ｃｉｍ，ｉｗｊｊ））
（１）
ここで、ｔｉは一定の特徴であり、ｉはコンテンツ特徴ｔｉについてのシリアル番号であり、ｌｄｉはコンテンツ特徴ｔｉについての好みの度合いであり、ｃｉｉはコンテンツ特徴ｔｉについてのユーザｊの妥協指数であり、ｉｗｊｊはユーザｊのユーザ重み付けである。
【００６４】
例えば、ユーザプロファイルにおける好みの度合いのスケールが［１，１００］であると仮定する場合、妥協指数は［０，１，２］であり、ここで、“０”は妥協を意味し、“１”は無関心を意味し、“２”は非妥協を意味する一方、ユーザ重み付けの総和は１である。
【００６５】
最初のユーザグループにおけるユーザ重み付け全ての総和は１００％を超えることはない。例えば、最初のユーザグループは４人のユーザ、即ち、父親、母親、息子及び娘を有する。彼等の重み付けはそれぞれ、３０％、３０％、２０％及び２０％であり、総和は１００％である。
【００６６】
父親、母親、息子及び娘を有する前記最初のユーザグループにおいては、各々のユーザのユーザプロファイルは、コンテンツ特徴、即ち、俳優Ａ及び軍事映画に向けられる興味の反応を有し、次のようになる。
父親：
俳優Ａ  ：ｌｄ＝９０；ｃｉ＝２；ｉｗ＝３０％（俳優Ａ，６０，１，３０％）
軍事映画：ｌｄ＝７０；ｃｉ＝１；ｉｗ＝２０％（軍事映画，９０，２，３０％）
母親：
俳優Ａ  ：ｌｄ＝３０；ｃｉ＝１；ｉｗ＝０．３（俳優Ａ，８０，０，３０％）
軍事映画：ｃｉ＝０；ｌｄ＝２０；ｉｗ＝０．３（軍事映画，３０，０，３０％）
息子：
俳優Ａ  ：ｌｄ＝３０；ｃｉ＝１；ｉｗ＝０．３（俳優Ａ，５０，１，２０％）
軍事映画：ｃｉ＝０；ｌｄ＝２０；ｉｗ＝０．３（軍事映画，７０，１，２０％）
娘：
俳優Ａ  ：ｌｄ＝３０；ｃｉ＝１；ｉｗ＝０．３（俳優Ａ，９０，１，３０％）
軍事映画：ｃｉ＝０；ｌｄ＝２０；ｉｗ＝０．３（軍事映画，７０，０，２０％）
ユーザが特定のコンテンツ特徴について４変数列を設定していない場合、ｌｄ＝０、ｃｉ＝０及びｉｗは他のコンテンツ特徴についてのユーザと同じｉｗであることは当然のことである。
【００６７】
ｍ個のコンテンツ特徴についてｎ人のユーザの興味の反応については、次の表で表される。
【００６８】
【表１】
2008529117.tif 000003
第２には、番組を視聴している最初のユーザグループにおけるユーザを決定する段階であって、番組をリモコン又はカメラ（図示せず）のような構成要素により取得することができる。段階（段階Ｓ２１５）。
【００６９】
上記のように、父親、母親、息子及び娘を有する最初のユーザグループにおいては、現時点では、番組を視聴している３人のみのユーザ、即ち、父親、母親及び息子を有するグループが存在する。
【００７０】
第３には、少なくとも１つのコンテンツ特徴を有する番組を受信する段階（段階Ｓ２２０）。例えば、コンテンツ特徴は、軍事映画のような番組ジャンルのコンテンツ特徴に関するものである。
【００７１】
第４には、ユーザグループにおける各々のユーザのプロファイルから番組の１つのコンテンツ特徴についてのユーザグループにおける各々のユーザの好みの度合い、妥協指数及びユーザ重み付けを取得する段階（段階Ｓ２３０）。
【００７２】
例えば、その番組を視聴している父親、母親及び息子を有するグループにおいては、コンテンツ特徴１，即ち、軍事映画に向けられる興味の度合いは、次の表で表される。
【００７３】
【表２】
2008529117.tif 000004
第５には、コンテンツ特徴について各々のユーザの総合的な指数を得るように、コンテンツ特徴についてユーザグループにおける各々のユーザの妥協指数を用いることにより対応するユーザ重み付けが処理される（段階Ｓ２４０）。
【００７４】
具体的には、この段階は、次の３つの手順により達成される。
（１）第１に、コンテンツ特徴についての各々のユーザの妥協指数を対応するユーザ重み付けと乗算し、父親の場合は、３０％＊２＝６０％であり、母親の場合は、３０％＊０＝０％であり、息子の場合は、２０％＊１＝２０％である。
（２）第２に、その乗算の後に、加算して和、６０％＋０＋２０％＋０＝８０％を得る。
（３）調節されたユーザ重み付けのそれぞれを求めるように、前記和により乗算の後に各々のユーザのユーザ重み付け、即ち、前記妥協指数を導き出し、父親のユーザ重み付けは６０％／８０％＝７５％になり、母親のユーザ重み付けは０％／８０％＝０％になり、息子のユーザ重み付けは２０％／８０％＝２５％になる。
【００７５】
軍事映画についての上記のユーザの好みの度合い、妥協指数及び前記妥協指数はまた、次の表２におけるように表される。
【００７６】
【表３】
2008529117.tif 000005
表２におけるユーザ全ての妥協指数の総和、即ち、全ての調節されたユーザ重み付けの総和は、尚も１に等しい。現時点で番組を視聴しているユーザのユーザ重み付けは再配分されている。
【００７７】
前記調節により、ユーザグループにおける多様なユーザのチーム精神（ユーザグループにおける多様なユーザの妥協指数）が考慮されるばかりでなく、最初のユーザグループ全体が番組を視聴していないときに、より正確に且つ総合的にグループの共通の興味の度合いを取得するように、ユーザの重み付けが再配分される。
【００７８】
第６に、コンテンツ特徴についてユーザグループにおける各々のユーザの総合的な指数にしたがって、コンテンツ特徴について各々のユーザの総合的な好みの度合いを得るように、対応する好みの度合いは調節される（段階Ｓ２５０）。
【００７９】
この処理により、軍事映画についての各々のユーザの総合的な好みの度合いを得るように、前記総合的な指数と総合的な好みの度合いとを乗算し、それについて次の表３に示す。
【００８０】
【表４】
2008529117.tif 000006
第７に、コンテンツ特徴についてユーザグループの共通の好みの度合いを得るように、コンテンツ特徴についてユーザグループの総合的な好みの度合いの総和を得る（段階Ｓ２６０）。
【００８１】
通常、前記段階は、表３におけるこの軍事映画について多様なユーザの総合的な好みの度合いを加算し、例えば、６７．５＋１７．５＝８５であり、即ち、コンテンツ特徴についてユーザグループの共通の好みの度合いは８５である。
【００８２】
第８に、番組における何れの他のコンテンツ特徴、即ち、得られていなかったユーザグループの共通の好みの度合いがあるかどうかを判定する（段階Ｓ２６５）。
【００８３】
前記判定処理において、共通の好みの度合いが尚も得られていないコンテンツ特徴がある場合、段階Ｓ２３０に戻り、上記の段階を繰り返す。
【００８４】
前記判定処理において、得られていないコンテンツ特徴がない場合、番組についてユーザグループの共通の好みの度合いを得るように、コンテンツ特徴全てについてユーザグループの共通の好みの度合いの平均値が得られる（段階Ｓ２７０）。勿論、１つのコンテンツ特徴のみが存在する場合、その平均値を得る必要はない。
【００８５】
例えば、前記番組が２つのコンテンツ特徴、即ち、１つの特徴は軍事映画であることと、他の特徴は俳優Ａであることとを有する。その番組の軍事映画についてのそのユーザグループの共通の好みの度合いは８５である一方、俳優Ａについてのそれは５６である（詳細な演算処理については、ここでは省略するが、その演算は、軍事映画の演算処理と同様である）。それ故、その番組についてのそのユーザグループの共通の興味の度合いは（５６＋８５）／２＝７０．５である。
【００８６】
第９に、上記の番組についてのユーザグループの得られた共通の興味の度合いが閾値より大きいかどうかを判定する（段階Ｓ２８０）。
【００８７】
閾値は、最初のユーザグループにより、例えば、６０に予め設定されることが可能である。
【００８８】
前記判定処理において、番組についてのユーザの共通の興味の度合いが閾値より大きい場合、その番組はユーザグループに対して推薦される（段階Ｓ２９０）。その後、全体の推薦処理が終了する。
【００８９】
上記の実施例においては、番組についてのユーザグループの共通の興味の度合いは７０．５＞６０であり、それ故、その番組はそのユーザグループに対して推薦される。
【００９０】
勿論、その判定処理において、番組についてのユーザグループの共通の興味の度合いが閾値より大きくない場合、全体の処理はそのまま終了し、その番組はそのユーザグループに対して推薦されない。
【００９１】
この実施形態においては、ユーザグループにおける多様なユーザの妥協指数は対応するユーザ重み付けを調節するように用いられる。ユーザグループにおける多様なユーザのチーム精神（ユーザグループにおける多様なユーザの妥協指数）が考慮されるばかりでなく、最初のユーザグループ全体が番組を視聴しないとき、そのユーザグループについてより正確に且つ総合邸に共通の興味の度合いを得るように、その番組を視聴しているユーザの重み付けは再配分される。
【００９２】
この実施形態においては、コンテンツ特徴についてグループの共通の好みの度合いを求めるように、コンテンツ特徴についてユーザグループの総合的な好みの度合いの総和が得られるのは、番組における全てのコンテンツ特徴についてユーザグループにおける各々のユーザの総合的な好みの度合いを得た後である。最終的に、番組についてのユーザグループの共通の興味の度合いを求めるように、番組におけるコンテンツ特徴全てについてのユーザグループの共通の好みの度合いの平均値が得られる。勿論、この実施形態において１つのコンテンツ特徴のみが存在する場合、その平均値を求める必要はない。
【００９３】
勿論、番組についてのユーザグループの共通の興味の度合いはまた、次の順序にしたがって得られる。即ち、番組における全てのコンテンツ特徴にすいてユーザグループにおける各々のユーザの総合的な好みの度合いを得た後、番組について各々のユーザの個人的な興味の度合いを求めるように、番組におけるコンテンツ特徴全てについてユーザグループにおける各々のユーザの総合的な好みの度合いの平均値が得られ（１つのみコンテンツ特徴が存在する場合、その平均化処理に進む必要はない）、最終的に、番組についてユーザグループの共通の興味の度合いを求めるように、番組についてのユーザグループにおける各々のユーザの興味の度合いの総和が得られる。
【００９４】
本発明のユーザプロファイルにおいては、妥協指数及びユーザ重み付けは前記総合的指数により置き換えられることが可能であり、その総合的指数は最初のユーザグループにより予め設定され、何れにしても相談することにより修正されることが可能であり、その場合、番組を視聴しているユーザグループの総合的指数の合計値が１であることを確実にするように、そのシステムにより自動的に調節される。
【００９５】
本発明における上記のユーザプロファイルはまた、コンテンツ重み付けを有することが可能であり、そのコンテンツ重み付けとは、ユーザが番組を選択するときに、なされる選択に関する俳優、監督及びジャンルのような多様なコンテンツ特徴の影響をいう。換言すれば、それは、ユーザの好みの番組を選択するとき、俳優、監督及びジャンルに基づくことが可能であるユーザが採用する基準をいう。全ての基準の中で、全ての俳優についてのコンテンツ重み付けは同じであることが可能であり、全てのジャンルについてのコンテンツ重み付けは同様であることが可能であり、又は全ての俳優についてのコンテンツ重み付けは同様であることが可能である。コンテンツ重み付けはまた、供給者により予め設定されたスケール、例えば、［０，５０］により反映されることが可能である。
【００９６】
本発明は、妥協指数及びユーザ重み付けを組み合わせるとき、コンテンツ特徴についてユーザグループのコンテンツ重み付けを調節するように用いられることが可能である。その処理は、好みの度合いを調節する上記の処理と同様である。それは、特定の番組についてユーザグループの共通の興味の度合いを求めるように、コンテンツ重み付け及び好みの度合いと組み合わされる。
【００９７】
ユーザグループの共通の興味の度合いを得るように本発明において導入された方法はまた、他のプログラム、プロダクト及びコンテンツに適用できる。
【００９８】
上記の実施形態に関連して本発明について説明したが、当業者には、上記の説明にしたがってそれらの実施形態について置き換え、修正及び変更が可能であることは明らかである。それ故、そのような置き換え、修正及び変更が同時提出の特許請求の範囲における範囲及び主旨においてなされるとき、それらはまた、本発明に包含される。
【図面の簡単な説明】
【００９９】
【図１】本発明の実施形態にしたがった情報推薦システムの構造図である。
【図２−１】本発明の実施形態にしたがった情報推薦方法のワークフロー図である。
【図２−２】本発明の実施形態にしたがった情報推薦方法のワークフロー図である。
【図１】
2008529117.tif 000007
【図２−１】
2008529117.tif 000008
【図２−２】
2008529117.tif 000009
【国際調査報告】
2008529117.tif 000010
2008529117.tif 000011
2008529117.tif 000012